(57)【要約】【課題】容易にデッキパンの引き出しを行うことができ、作業者の負担を低減させることのできるショーケースを提供する。【解決手段】デッキパン２０は、前方に引き出し可能に構成され、デッキパン２０には、収容位置に固定するためのソレノイド４１と、ソレノイド４１のプランジャ４２に当接する固定金具４５とが設けられ、検出装置４０により作業者が検出された場合に、ソレノイド４１が駆動され、ソレノイド４１のプランジャ４２と固定金具４５との当接を解除するので、作業者が検出装置４０に検出されるだけで、容易にデッキパン２０の引き出しを行うことができる。【選択図】図３
2019136276.tif 000002
【特許請求の範囲】
【請求項１】
商品の陳列室の下方にデッキパンを設置してなるショーケースにおいて、
前記デッキパンは、前方に引き出し可能に構成され、
前記デッキパンには、収容位置に固定するロック機構が設けられ、
前記ロック機構は、検出装置により作業者が検出された場合に、電気的にロックを解除することを特徴とするショーケース。
【請求項２】
前記検出装置は、キャノピーに配置されていることを特徴とする請求項１に記載のショーケース。
【請求項３】
前記検出装置は、接触を検出するタッチセンサにより構成され、
前記検出装置により作業者の接触を検出された場合に、前記ロック機構のロックを解除することを特徴とする請求項２に記載のショーケース。
【請求項４】
前記ロック機構は、前記検出装置により検出された場合に駆動されるソレノイドと、前記ソレノイドのプランジャに当接する固定金具と、から構成されていることを特徴とする請求項１から請求項３のいずれか一項に記載のショーケース。
【発明の詳細な説明】
【技術分野】
【０００１】
本発明は、ショーケースに係り、特に、前面が開口する陳列室内に商品を陳列するショーケースに関する。
【背景技術】
【０００２】
従来から、コンビニエンスストアやスーパーマーケットなどに設置されるオープンショーケースが知られている。
従来、このようなショーケースとして、デッキパン棚の前端両側部には、弾性力を有したステンレス板にて構成されたストッパが取り付けられ、このストッパにより、デッキパン棚が、デッキパンカバー上に収納された状態を保持するとともに、このストッパを操作しながら、デッキパン棚を前方に引き出すことにより、デッキパン棚が移動可能とした技術が開示されている（例えば、特許文献１参照）。
【先行技術文献】
【特許文献】
【０００３】
【特許文献１】特開２００２−２９１５８９号公報
【発明の概要】
【発明が解決しようとする課題】
【０００４】
しかしながら、このようなショーケースでは、デッキパンを引き出す際に、作業者がデッキパンの両側部に設けたストッパを操作する必要があった。また、ストッパをデッキパンの両側部に設けているので、ストッパを操作するために、作業者がしゃがみ込んで作業する必要があり、作業者の負担となっていた。
【０００５】
本発明は前記した点に鑑みてなされたものであり、容易にデッキパンの引き出しを行うことができ、作業者の負担を低減させることのできるショーケースを提供することを目的とする。
【課題を解決するための手段】
【０００６】
前記目的を達成するため、本発明は、商品の陳列室の下方にデッキパンを設置してなるショーケースにおいて、前記デッキパンは、前方に引き出し可能に構成され、前記デッキパンには、収容位置に固定するロック機構が設けられ、前記ロック機構は、検出装置により作業者が検出された場合に、電気的にロックを解除することを特徴とする。
【０００７】
これによれば、検出装置により作業者が検出された場合に、電気的にロック機構のロックを解除するので、作業者は、容易にデッキパンの引き出しを行うことができる。
【発明の効果】
【０００８】
本発明によれば、検出装置により作業者が検出された場合に、電気的にロック機構のロックを解除するので、作業者は、容易にデッキパンの引き出しを行うことができる。その結果、作業者の負担を低減させることができる。
【図面の簡単な説明】
【０００９】
【図１】本発明に係るショーケースの実施形態を示す正面図。
【図２】本実施形態のショーケースの側面断面図。
【図３】本実施形態の棚板部分の底面図。
【図４】本実施形態の棚板部分の可動棚を収容した状態を示す側面図。
【図５】本実施形態の棚板部分の可動棚を引き出した状態を示す側面図。
【発明を実施するための形態】
【００１０】
第１の発明は、商品の陳列室の下方にデッキパンを設置してなるショーケースにおいて、前記デッキパンは、前方に引き出し可能に構成され、前記デッキパンには、収容位置に固定するロック機構が設けられ、前記ロック機構は、検出装置により作業者が検出された場合に、電気的にロックを解除する。
これによれば、検出装置により作業者が検出された場合に、電気的にロック機構のロックを解除するので、作業者は、容易に可動棚の引き出しを行うことができる。その結果、作業者の負担を低減させることができる。
【００１１】
第２の発明は、前記検出装置は、キャノピーに配置されている。
これによれば、検出装置をキャノピーに配置しているので、作業者は、立ったままで検出装置の接触を行うことができ、作業者の負担の低減を図ることができる。
【００１２】
第３の発明は、前記検出装置は、接触を検出するタッチセンサにより構成され、前記検出装置により作業者の接触を検出された場合に、前記ロック機構のロックを解除する。
これによれば、作業者は、検出装置に接触するだけで、容易にデッキパンの引き出しを行うことができる。
【００１３】
第４の発明は、前記ロック機構は、前記検出装置により検出された場合に駆動されるソレノイドと、前記ソレノイドのプランジャに当接する固定金具と、から構成されている。
これによれば、検出装置により作業者を検出した場合に、ソレノイドを駆動することにより、ソレノイドのプランジャと固定金具との当接を解除することができる。
【００１４】
以下、本発明の実施の形態について、図面を参照して説明する。
図１は本発明に係るショーケースの実施形態を示す正面図である。図２は本実施形態のショーケースの側面断面図である。
本実施形態のショーケース１は、コンビニエンスストアやスーパーマーケットなどの店舗内に据え付けられるオープンショーケースである。
【００１５】
図１に示すように、ショーケース１は、前面が開口し上面、背面および下面を覆う断面形状略コ字状の断熱壁１０と、据え付け現場において断熱壁１０の外面側に取り付けられる断熱性の側板１１とから構成されている。断熱壁１０の内側には、断熱壁１０に対して所定の間隙を有するように内側パネル１２が設けられている。
内側パネル１２の下端には、デッキパン２０が配置されており、内側パネル１２およびデッキパン２０の内側は、前面開口１３を有する陳列室１５とされている。
【００１６】
また、陳列室１５の内部には、陳列室１５の背面側に位置する内側パネル１２に設けられる図示しない支柱に着脱自在に取付けられる複数の棚板２１が設置されている。これら棚板２１およびデッキパン２０の上面に、商品が陳列される構成とされている。
また、棚板２１およびデッキパン２０は、前方に引き出し自在とされており、棚板２１およびデッキパン２０の上面に商品を補充する際には、陳列室１５の前面開口１３より前方に引き出して作業を行うことができるように構成されている。なお、デッキパン２０が前方に引き出される際には、デッキパン２０は陳列室１５の前面開口１３の下縁に対して所定の間隙をもって引き出される。
【００１７】
また、内側パネル１２の上部前端部分には、キャノピー２３が前面開口１３の全幅にわたって取り付けられており、キャノピー２３の内側には、陳列室１５の内部を照明する照明灯２４が取付けられている。
キャノピー２３の前側には、陳列室１５の内部温度を表示するための温度計や操作ボタンが設けられたパネル２５が取り付けられている。
【００１８】
また、内側パネル１２およびデッキパン２０と断熱壁１０との間の空間は、ダクト１６とされている。
また、キャノピー２３の後方には、ダクト１６に連通し、ダクト１６の内部の空気を陳列室１５に吹き出す吐出口２６が形成されている。また、デッキパン２０の前端部には、ダクト１６に連通する吸込口２７が形成されている。
また、デッキパン２０の下方には、冷却装置の蒸発器２８が収容されている。
【００１９】
そして、図示しない送風機を駆動することにより、蒸発器２８と熱交換した冷気がダクト１６の内部を上昇し、吐出口２６から前面開口１３に向けて吐出される。前面開口１３に吐出された冷気は、吸込口２７からダクト１６の内部に吸い込まれ、これにより、前面開口１３には冷気によるエアカーテンが形成されるとともに、この冷気のエアカーテンの一部が陳列室１５の内部に循環される。
なお、内側パネル１２には、図示しない冷気吹出口が形成されており、冷気のエアカーテンの一部とこれら冷気吹出口から吹き出される冷気によって陳列室１５の内部は所定温度に冷却される。
【００２０】
次に、本実施形態のデッキパンの構造について説明する。
図３は、デッキパン部分の拡大図である。図４は、デッキパン部分の底面図である。図５は、デッキパンのソレノイド部分の拡大図である。
図３から図５に示すように、デッキパン２０は、断熱壁１０の底部に前後方向に延在するように設けられた２本のレール支持部材３０，３０を備えており、レール支持部材３０は、断熱壁１０の底面の前後に立設された支柱３１に支持されている。レール支持部材３０には、レール部材３２が摺動自在に挿入されている。
このレール部材３２の先端部には、レール部材３２と直交するように延在するデッキパン支持部材３３が取り付けられている。
また、レール部材３２の上方には、商品を載置するための金属板などからなる載置板３４が着脱自在に設けられている。
【００２１】
デッキパン２０の下方には、前方の支柱３１の側面に取り付けられたソレノイド４１が配置されている。ソレノイド４１のプランジャ４２は、上方に指向するように配置されている。プランジャ４２の上端部は、前方が低くなるように傾斜した傾斜面４３が形成されている。
図５に示すように、レール部材３２の下面側には、固定金具４５が取り付けられている。固定金具４５は、平板状の板材を折曲形成してなり、固定金具４５の先端部４６は、レール部材３２の下面から下方に突出するように設置されている。固定金具４５の先端部４６は、プランジャ４２の傾斜面４３に対してほぼ同様の角度となるように傾斜して形成されている。
本実施形態においては、ソレノイド４１と固定金具４５とにより本発明のロック機構が構成される。
【００２２】
これにより、固定金具４５がプランジャ４２の後方に位置した状態で、固定金具４５がプランジャ４２の後面に当接し、デッキパン２０を収容した状態に保持するように構成されている。そして、ソレノイド４１を駆動して、プランジャ４２を引き込み動作させることにより、固定金具４５とプランジャ４２との当接が解除され、デッキパン２０を引き出すことができるように構成されている。
さらに、デッキパン２０が引き出された状態からデッキパン２０を収容する場合は、固定金具４５の傾斜した先端部４６がプランジャ４２の傾斜面４３に当接し、傾斜に沿って固定金具４５がプランジャ４２の傾斜面４３を押し下げる。これにより、固定金具４５がプランジャ４２を乗り越えることができ、デッキパン２０の収容が可能となる。
【００２３】
また、キャノピー２３に設けられたパネル２５の一側には、検出装置４０が配置されている。検出装置４０は、例えば、静電容量センサなどのタッチセンサにより構成されており、商品の補充作業を行う作業者（以下、単に作業者という）の手が接触することで、検出が行われる。
なお、検出装置４０としては、タッチセンサに限定されるものではなく、作業者の手が近接したことを検出する光センサ、赤外線センサなどを用いることも可能である。また、検出装置４０は、キャノピー２３の裏側に配置するようにしてもよいし、パネル２５に設置するようにしてもよい。さらに、検出装置４０は、作業者が立ったままで、検出装置４０に接触することができるのであれば、いずれの箇所に設置するようにしてもよい。
そして、詳細な制御回路については説明を省略するが、検出装置４０により作業者の接触を検出した場合に、ソレノイド４１が駆動されるように制御される。
【００２４】
次に、本実施形態の作用について説明する。
本実施形態のショーケース１においては、送風機を駆動することにより、蒸発器２８と熱交換した冷気がダクト１６の内部を上昇し、吐出口２６から前面開口１３に向けて吐出される。前面開口１３に吐出された冷気は、吸込口２７からダクト１６の内部に吸い込まれ、これにより、前面開口１３には冷気によるエアカーテンが形成されるとともに、この冷気のエアカーテンの一部が陳列室１５の内部に循環される。
また、内側パネル１２の冷気吹出口からダクト１６の冷気が陳列室１５に吹き出され、これにより、陳列室１５の内部が所定温度に冷却される。
【００２５】
また、デッキパン２０を引き出す場合は、作業者の手が、検出装置４０に接触することにより、検出装置４０による検出が行われ、ソレノイド４１が駆動される。このソレノイド４１の駆動により、プランジャ４２が引き込み駆動され、プランジャ４２と固定金具４５との当接が解除され、デッキパン２０が引き出し可能となる。
このように本実施形態においては、キャノピー２３に配置した検出装置４０に作業者が接触するだけで、容易にソレノイド４１のプランジャ４２と固定金具４５との係合を解除して、デッキパン２０の引き出しを行うことができる。また、検出装置４０をキャノピー２３に配置しているので、作業者は、立ったままで検出装置４０の接触を行うことができ、作業者の負担の低減を図ることができる。
【００２６】
以上述べたように、本実施形態においては、デッキパン２０は、前方に引き出し可能に構成され、デッキパン２０には、収容位置に固定するロック機構が設けられ、ロック機構は、検出装置４０により作業者が検出された場合に、電気的にロックを解除する。
また、ロック機構は、検出装置４０により検出された場合に駆動されるソレノイド４１と、ソレノイド４１のプランジャ４２に当接する固定金具４５と、から構成されている。
これにより、検出装置４０により作業者が検出された場合に、ソレノイド４１が駆動され、ソレノイド４１のプランジャ４２と固定金具４５との当接を解除するので、作業者が検出装置４０に検出されるだけで、容易にデッキパン２０の引き出しを行うことができる。
【００２７】
また、本実施形態においては、検出装置４０は、キャノピー２３に配置されている。
これにより、検出装置４０をキャノピー２３に配置しているので、作業者は、立ったままで検出装置４０の接触を行うことができ、作業者の負担の低減を図ることができる。
【００２８】
また、本実施形態においては、検出装置４０は、接触を検出するタッチセンサにより構成され、検出装置４０により作業者の接触を検出された場合に、ロック機構のロックを解除する。
これにより、作業者は、検出装置４０に接触するだけで、容易にデッキパン２０の引き出しを行うことができる。
【００２９】
なお、本発明は、前記実施形態に記載のものに限定されるものではなく、本発明の趣旨を逸脱しない範囲で種々変更および応用が可能である。
【産業上の利用可能性】
【００３０】
以上のように、本発明に係るショーケースは、検出装置により検出するだけで、ロック機構を解除することができ、作業者に負担を掛けることなく、容易にデッキパンを引き出すことのできるショーケースとして好適に利用可能である。
【符号の説明】
【００３１】
１  ショーケース
１０  断熱壁
１１  側板
１２  内側パネル
１３  前面開口
１５  陳列室
１６  ダクト
２０  デッキパン
２１  棚板
２３  キャノピー
２４  照明灯
２５  パネル
２６  吐出口
２７  吸込口
３０  レール支持部材
３１  支柱
３２  レール部材
３３  デッキパン支持部材
３４  載置板
４０  検出装置
４１  ソレノイド
４２  プランジャ
４３  傾斜面
４５  固定金具
【図１】
2019136276.tif 000003
【図２】
2019136276.tif 000004
【図３】
2019136276.tif 000005
【図４】
2019136276.tif 000006
【図５】
2019136276.tif 000007